(57)【特許請求の範囲】
【請求項１】
支柱と梁とを備え、河川の上流から流れてくる流水を通すとともに土石及び流木を捕捉する捕捉体の補修方法であって、
前記捕捉体の損傷部位を切断して除去する工程と、
前記損傷部位が除去された前記捕捉体の前記支柱及び前記梁の少なくとも一方の既設部分の外周面に取り付けられる分割片と、前記分割片を貫通しかつ当該分割片に対して移動自在に設けられる支持部と、を有する調節部材を前記既設部分に設ける工程と、
前記既設部分の外周面に、該外周面に対して前記調節部材を介して移動可能に環状部材を取り付ける工程と、
前記環状部材に前記損傷部位と交換する交換部材を載置する工程と、
前記環状部材に載置した前記交換部材の、前記既設部分に対する固定位置を調整して決定する工程と、
前記既設部分に対する前記交換部材の前記固定位置で、前記環状部材を前記既設部分に固定する工程と、
前記既設部分に固定された前記環状部材に前記交換部材を固定する工程と、
を含み、
前記交換部材が載置される側の前記支持部の端部に前記環状部材を仮置きした状態で、前記分割片に対する前記支持部の突出量を調節することにより前記既設部分に対する前記環状部材の固定位置を調節することを特徴とする捕捉体の補修方法。
【請求項２】
支柱と梁とを備え、河川の上流から流れてくる流水を通すとともに土石及び流木を捕捉する捕捉体の補修方法であって、
前記捕捉体の損傷部位を切断して除去する工程と、
前記損傷部位が除去された前記捕捉体の前記支柱及び前記梁の少なくとも一方の既設部分の外周面に取り付けられる分割片と、前記分割片を貫通しかつ当該分割片に対して移動自在に設けられる支持部と、を有する調節部材を前記既設部分に設ける工程と、
前記既設部分の外周面に、該外周面に対して前記調節部材を介して移動可能に環状部材を取り付ける工程と、
前記環状部材に前記損傷部位と交換する交換部材を載置する工程と、
前記環状部材に載置した前記交換部材の、前記既設部分に対する固定位置を調整して決定する工程と、
前記既設部分に対する前記交換部材の前記固定位置で、前記環状部材を前記既設部分に固定する工程と、
前記既設部分に固定された前記環状部材に前記交換部材を固定する工程と、
前記交換部材を前記既設部分に固定した後に、前記調節部材を前記既設部分から取り外す工程と、
を含み、
前記交換部材が載置される側の前記支持部の端部に前記環状部材を仮置きした状態で、前記分割片に対する前記支持部の突出量を調節することにより前記既設部分に対する前記環状部材の固定位置を調節することを特徴とする捕捉体の補修方法。
【請求項３】
前記捕捉体における損傷していない部位で前記損傷部位を切断することを特徴とする請求項１又は２に記載の捕捉体の補修方法。
【請求項４】
前記捕捉体は、複数の支柱と複数の梁とが連結されて構成されており、
前記支柱又は前記梁の連結部以外の箇所で前記損傷部位を切断することを特徴とする請求項１から３までのいずれか一項に記載の捕捉体の補修方法。
【請求項５】
前記環状部材を前記既設部分に固定する工程の前に、前記交換部材を固定する前記環状部材の表面とは反対側の裏面に、当該裏面に当接した状態で前記既設部分に外周面に帯状の裏当部材を溶接により固定し、
前記環状部材の内周縁は、前記交換部材が固定される表面から前記裏面に向かって縮径していくテーパ部を有し、前記環状部材は、前記裏当部材によって支持された状態で前記テーパ部において前記既設部分に溶接されることを特徴とする請求項１から４までのいずれか一項に記載の捕捉体の補修方法。
【請求項６】
前記環状部材を前記既設部分に固定する工程の前に、前記環状部材に載置した前記交換部材を取り外すことを特徴とする請求項１から５までのいずれか一項に記載の捕捉体の補修方法。
【請求項７】
前記交換部材を前記環状部材から取り外す工程の前に、前記環状部材に対する前記交換部材の取り付け位置にマーキングを施すことを特徴とする請求項６に記載の捕捉体の補修方法。
【請求項８】
支柱と梁とを備え、河川の上流から流れてくる流水を通すとともに土石及び流木を捕捉する捕捉体の損傷部位を補修する補修構造体であって、
前記損傷部位を除去した前記捕捉体における前記支柱及び前記梁の少なくとも一方の既設部分の外周面に固定される環状部材と、
前記環状部材に固定され、前記損傷部位と交換される交換部材と、
前記既設部分の外周面に取り付けられる分割片と、前記分割片を貫通しかつ当該分割片に対して移動自在に設けられ、前記交換部材を臨む側の端部において前記環状部材を支持する支持部と、を有する調節部材と、
を備え
前記調節部材は、前記分割片に対する前記支持部の突出量を調節することにより、前記既設部分に対する前記環状部材の固定位置を調節する
ことを特徴とする捕捉体の補修構造体。
【請求項９】
前記調節部材は、前記既設部分に対して着脱自在に設けられていることを特徴とする請求項８に記載の捕捉体の補修構造体。
【請求項１０】
前記交換部材を臨む面とは反対側の前記環状部材の裏面に当接しつつ、前記既設部分の外周面に固定される裏当部材を備えることを特徴とする請求項８又は９に記載の捕捉体の補修構造体。
【請求項１１】
前記交換部材の内径は、前記既設部分に対する前記環状部材の固定位置よりも切断位置側における前記既設部分の外径より大きいことを特徴とする請求項８から１０までのいずれか一項に記載の捕捉体の補修構造体。
【請求項１２】
請求項８から１１までのいずれか一項に記載の捕捉体の補修構造体を、前記損傷部位を除去した前記既設部分に設けたことを特徴とする捕捉体。
【請求項１３】
請求項１２に記載の捕捉体を、流水を通す透過部に設けたことを特徴とする堰堤。
【発明の詳細な説明】
【技術分野】
【０００１】
本発明は、捕捉体の補修方法、捕捉体の補修構造体、捕捉体及び堰堤に関する。
【背景技術】
【０００２】
山間部の河川においては、台風や大雨等による土砂災害を防止するため、堰堤が設置される。堰堤は、水を通過させつつも土石流に含まれる岩石や流木が通過することを抑制するものである。特に、水を通過させる透過部に、土石流に含まれる岩石や流木を捕捉するため、鋼管柱と鋼管梁とを立体格子状に組み合わせた捕捉体を設けた格子型鋼製堰堤が知られている（例えば、特許文献１参照）。
捕捉体においては、柱材（支柱）の上端部と、河川の横断方向に配置した梁材（横梁）から下向きに突設させた柱頭部とをフランジで接合する。また、堰堤の非越流部には、梁端部材が埋め込まれており、梁材の両端部は、梁端部材とフランジを介して接合されている（例えば、特許文献２参照）。
【先行技術文献】
【特許文献】
【０００３】
【特許文献１】特開平６−１０３３０号公報
【特許文献２】特開２０１１−８９３９３号公報
【発明の概要】
【発明が解決しようとする課題】
【０００４】
ところで、土石流の発生により、図１２に示すように、想定外の礫径を有する大きな岩石Ｒが透過型の堰堤１００の捕捉体３００に衝突することがある。岩石Ｒは捕捉体３００によって捕捉されるが、捕捉体３００の支柱３１０及び梁３２０には想定以上の衝撃力が加わり、捕捉体３００の支柱３１０及び梁３２０が変形又は損傷することがある。
変形又は損傷した捕捉体３００は、支柱３１０及び梁３２０がそれぞれ備えるフランジＦ部同士の連結を解除することによって、捕捉体３００の損傷した部分を取り外し、新たな部分と交換することができる。
しかし、岩石Ｒとの衝突により捕捉体３００の既設部分も変形していることが多く、捕捉体３００における既設部分のフランジ部Ｆの位置も初期の設計位置からずれていることがある。つまり、初期の設計に基づいて形成されたものを新たに取り付けることが困難なことがある。
【０００５】
そこで、本発明は、上記課題に鑑みてなされたものであり、捕捉体の既設部分が変形していた場合であっても、既設部分への交換部材の固定を容易にする捕捉体の補修方法、捕捉体の補修構造体、捕捉体及び堰堤を提供することを目的とする。
【課題を解決するための手段】
【０００６】
本発明は、支柱と梁とを備え、河川の上流から流れてくる流水を通すとともに土石及び流木を捕捉する捕捉体の補修方法であって、前記捕捉体の損傷部位を切断して除去し、前記損傷部位が除去された前記捕捉体の前記支柱及び前記梁の少なくとも一方の既設部分の外周面に、該外周面に対して移動可能に環状部材を取り付け、前記環状部材に前記損傷部位と交換する交換部材を載置し、前記環状部材に載置した前記交換部材の、前記既設部分に対する固定位置を調整して決定し、前記既設部分に対する前記交換部材の前記固定位置で、前記環状部材を前記既設部分に固定し、前記既設部分に固定された前記環状部材に前記交換部材を固定することを特徴とする。
【０００７】
また、前記既設部分に対する前記環状部材の固定位置を調節する調節部材を前記既設部分の外周面に設け、前記環状部材を前記調節部材に仮置きした状態で当該環状部材の位置を調節することが好ましい。
【０００８】
また、前記交換部材を前記既設部分に固定した後に、前記調節部材を前記既設部分から取り外すことが好ましい。
【０００９】
また、前記捕捉体における損傷していない部位で前記損傷部位を切断することが好ましい。
【００１０】
また、前記捕捉体は、複数の支柱と複数の梁とが連結されて構成されており、前記支柱又は前記梁の連結部以外の箇所で前記損傷部位を切断することが好ましい。
【００１１】
また、前記環状部材を前記既設部分に固定する前に、前記交換部材を固定する前記環状部材の表面とは反対側の裏面に、当該裏面に当接した状態で前記既設部分に裏当部材を固定することが好ましい。
【００１２】
また、前記環状部材を前記既設部分に固定する前に、前記環状部材に載置した前記交換部材を取り外すことが好ましい。
【００１３】
また、前記交換部材を前記環状部材から取り外す前に、前記環状部材に対する前記交換部材の取り付け位置にマーキングを施すことが好ましい。
【００１４】
また、前記捕捉体の上方から前記環状部材を前記既設部分に接合することが好ましい。
【００１５】
本発明は、支柱と梁とを備え、河川の上流から流れてくる流水を通すとともに土石及び流木を捕捉する捕捉体の損傷部位を補修する補修構造体であって、前記損傷部位を除去した前記捕捉体における前記支柱及び前記梁の少なくとも一方の既設部分の外周面に固定される環状部材と、前記環状部材に固定され、前記損傷部位と交換される交換部材と、を備えることを特徴とする。
【００１６】
また、前記既設部分の外周面に取り付けられて、前記環状部材の前記交換部材を臨む側とは反対側から前記環状部材を支持し、かつ前記既設部分に対する前記環状部材の固定位置を調節する調節部材を備えることが好ましい。
【００１７】
また、前記調節部材は、前記既設部分に対して着脱自在に設けられていることが好ましい。
【００１８】
また、前記交換部材を臨む面とは反対側の前記環状部材の裏面に当接しつつ、前記既設部分の外周面に固定される裏当部材を備えることが好ましい。
【００１９】
また、前記環状部材の内周縁は、前記交換部材が固定される表面から前記裏面に向かって縮径していくテーパ部を有することが好ましい。
【００２０】
また、前記交換部材の内径は、前記既設部分に対する前記環状部材の固定位置よりも切断位置側における前記既設部分の外径より大きいことが好ましい。
【００２１】
また、前記調節部材は前記環状部材を支持する支持部を有し、前記支持部は、前記環状部材に向かって進退自在であることが好ましい。
【００２２】
本発明は、捕捉体であって、上記の補修構造体を、前記損傷部位を除去した前記既設部分に設けたことを特徴とする。
【００２３】
本発明は、堰堤であって、上記の捕捉体を、流水を通す透過部に設けたことを特徴とする。
【発明の効果】
【００２４】
本発明によれば、捕捉体の既設部分が変形している場合であっても、捕捉体の既設部分に交換部材を容易に固定することができる。
【図面の簡単な説明】
【００２５】
【図１】補修された捕捉体を備える透過型の堰堤の正面図である。
【図２】補修後の捕捉体の側面図であり、（ａ）は図１のＩＩａにおける側面図であり、（ｂ）は図１のＩＩｂにおける側面図である。
【図３】捕捉体の損傷部位の交換部材を示す図であり、（ａ）は正面図であり、（ｂ）は側面図である。
【図４】補修構造体を説明するための拡大図である。
【図５】補修構造体における環状部材の斜視図である。
【図６】（ａ）は損傷前の捕捉体の側面図であり、（ｂ）は土石流中の巨礫が衝突した捕捉体の側面図であり、（ｃ）は変形又は損傷した捕捉体の側面図である。
【図７】（ａ）は損傷部位の切断位置を示す捕捉体の側面図であり、（ｂ）は損傷部位の切断後の捕捉体の既設部分の側面図である。
【図８】捕捉体の既設部分への交換部材の設置を示す図である。
【図９】（ａ）は補修構造体における調節部材の既設部分への取付けを説明する図であり、（ｂ）は補修構造体における環状部材の調節部材への載置を説明する図である。
【図１０】（ａ）は既設部分への交換部材の載置を説明する図であり、（ｂ）は環状部材の固定位置の位置決めを説明する図である。
【図１１】（ａ）は裏当部材の固定を説明する図であり、（ｂ）は調節部材の取り外しを説明する図である。
【図１２】損傷した捕捉体を有する堰堤の正面図である。
【発明を実施するための形態】
【００２６】
本発明の好ましい実施の形態について、図面を参照しながら説明する。なお、以下に示す実施の形態は一つの例示であり、本発明の範囲において、種々の形態をとりうる。
【００２７】
図１は、補修された捕捉体を備える堰堤の正面図である。図２は補修後の捕捉体の側面図であり、（ａ）は図１のＩＩａにおける側面図であり、（ｂ）は図１のＩＩｂにおける側面図である。図３は、捕捉体の損傷部位の交換部材を示す図であり、（ａ）は正面図であり、（ｂ）は側面図である。図４は、補修構造体を説明するために、図１のＩＶ部分を拡大して示す図である。図５は、補修構造体における環状部材の斜視図である。
【００２８】
＜堰堤の構成＞
まず、図１を用いて堰堤１の構成について説明する。堰堤１は、その底部が地盤に埋設されており、河川を横切るように河川の幅方向に沿って延在するように構築されている。堰堤１は、例えば、コンクリート又はソイルセメントによって構築されている。なお、堰堤１において、河川の上流側又は下流側に面する壁面を、複数の鋼製セグメントを連結することにより形成された鋼板壁とし、その内部にコンクリートやソイルセメントを充填してもよい。
堰堤１は、いわゆる透過型の堰堤であり、河川の上流から流れてくる流水を通す透過部２と、透過部２に設けられて流水を通すとともに土石及び流木を捕捉する捕捉体３とを備える。
【００２９】
（透過部）
透過部２は、図１に示すように、河川の岸にそれぞれ接続して上流からの土石及び流木の越流を阻止する一対の非越流部１１の間に形成されている。
【００３０】
（捕捉体）
図１に示す捕捉体３は、想定外の径を有する礫や流木等の衝突によって破損等した損傷部位ＤＰ（図６（ｃ）参照）を、新たな部材（後述する交換部材６）と交換して補修したものである。捕捉体３は、堰堤１の延在方向、すなわち、河川の幅方向に沿って透過部２に設けられている。
捕捉体３は、複数の支柱３１と、支柱３１の間を延在する複数の梁３２と、補修部分４とを有する。
【００３１】
［支柱及び梁］
支柱３１は、例えば鋼管から形成されており、堰堤１の延在方向に沿って所定の間隔をおいて透過部２の底部に立設されている。支柱３１は、図２（ａ）に示すように、上流側に立設された上流側支柱３１ａと、下流側に立設された下流側支柱３１ｂとを有する。上流側支柱３１ａ及び下流側支柱３１ｂは互いに連結されている。上流側支柱３１ａは、上流側から下流側へ向かって斜め上方に延在し、下流側支柱３１ｂは、下流側から上流側に向かって斜め上方に延在している。
【００３２】
図１に戻って、上流側支柱３１ａは、堰堤１の高さ方向において上側から下側にわたって堰堤１の延在方向に延びる梁部３１ｃを複数有する。隣接する上流側支柱３１ａの梁部３１ｃ同士を互いに連結することで梁３２が形成される。より具体的には、各梁部３１ｃの先端にはフランジ部（連結部）Ｆが設けられており、隣接する梁部３１ｃのフランジ部Ｆを互いに連結することで梁３２が形成される。
【００３３】
下流側支柱３１ｂは、図２（ａ）に示すように、上端部において上流側支柱３１ａと連結されている。また、下流側支柱３１ｂは、中間部において河川の通流方向に延びている連結梁３３を介して上流側支柱３１ａに連結されている。連結梁３３は、上流側支柱３１ａの中間部から下流側に延びる連結梁部３３ａと、下流側支柱３１ｂの中間部から上流側に延びる連結梁部３３ｂとが、それぞれの連結梁部３３ａ，３３ｂが有するフランジ部Ｆを介して互いに連結されることで形成される。
なお、図２（ｂ）に示すように、捕捉体３の延在方向において、上流側支柱３１ａに下流側支柱３１ｂが連結されていない箇所もあり、例えば、下流側支柱３１ｂは、上流側支柱３１ａに１つおきに連結されている。
【００３４】
［補修部分］
図１において二点鎖線で囲んだ補修部分４は、捕捉体３が変形や破損した損傷部位ＤＰ（図６（ｃ）参照）に代えて交換部材６を捕捉体３の既設部分５に固定した部分である。ここで「既設部分」とは、損傷部位ＤＰを除去した後の捕捉体３の残りの部分であり、堰堤１の構築時から透過部２に設置されている捕捉体３の部分である。また、既設部分５は、全く変形していない部分か、又は変形が軽微な部分である。
【００３５】
交換部材６は捕捉体３の損傷部位ＤＰと交換されるものである。図３（ａ）に示すように、交換部材６は、複数の支柱部６１と複数の梁部６２とが一体に形成されたものである。つまり、交換部材６は、交換前の捕捉体３のように支柱３１同士を互いにフランジ部Ｆを介して連結させて梁３２を形成するものではない。
支柱部６１は、図３（ｂ）に示すように、上流側支柱部６１ａ及び下流側支柱部６１ｂを有する。下流側支柱部６１ｂの上端部は上流側支柱部６１ａに一体に連結されている。
【００３６】
上流側支柱部６１ａは、捕捉体３の既設部分５の上流側支柱３１ａと固定される箇所に固定部分６３を有する。固定部分６３は、環状部６３ａと円筒部６３ｂとを有する。環状部６３ａは、上流側支柱部６１ａの外周面から径方向外側に突出している。
円筒部６３ｂは、図４に示すように、上流側支柱部６１ａの下端に位置し、環状部６３ａに一体に連結されている。交換部材６の最大の内径は、既設部分５の上流側支柱３１ａの外周面に対する環状部材８の固定位置よりも切断位置側にある、上流側支柱３１ａの外径より大きい。つまり、交換部材６の円筒部６３ｂは、既設部分５の上流側支柱３１ａの外径よりも大きい外径を有する。
【００３７】
交換部材６の梁部６２は、捕捉体３の既設部分５における上流側支柱３１ａの梁部３１ｃと固定される箇所に固定部分６４を有する。固定部分６４の構成は、上流側支柱部６１ａの固定部分６３と同じであるため説明を省略する。
【００３８】
下流側支柱部６１ｂは、捕捉体３の既設部分５における下流側支柱３１ｂと固定される箇所に固定部分６５を有する。固定部分６５の構成は、上流側支柱部６１ａの固定部分６３と同じであるため説明を省略する。
【００３９】
＜補修構造体＞
図４及び図５によって捕捉体３の補修に用いる補修構造体７の構成を説明する。図４は、補修構造体の構成を説明するための拡大図である。図５は、補修構造体における環状部材の斜視図である。補修構造体７は、図４に示すように、上記の交換部材６と、環状部材８と、調節部材９とを備える。
【００４０】
（環状部材）
環状部材８は、円板状に形成されており、その中心に既設部分５の支柱３１又は梁３２を挿通させる孔８０が形成されている。環状部材８は、損傷部位ＤＰを除去した捕捉体３における支柱３１及び梁３２の少なくとも一方の既設部分５の外周面に固定されるものである。環状部材８は、既設部分５に取り付けた状態において、既設部分５の上流側支柱３１ａの外周面から径方向外側に向かって突出している。環状部材８は、既設部分５の外周面への固定前に、既設部分５の外周面に対して調節部材９に仮置きされる。環状部材８は、調節部材９に仮置きされた状態において既設部分５の外周面に対して移動可能である。環状部材８が既設部分５の外周面に固定された状態で、環状部材８の表面に交換部材６が固定される。
【００４１】
図５に示すように、環状部材８の内周縁は、交換部材６が固定される表面８１から裏面８２に向かって縮径していくテーパ部（開先）８３を有している。また、環状部材８が既設部分５の外周面に固定された状態において、環状部材８の裏面８２には、裏面８２に当接して既設部分５の外周面に固定される裏当部材８４が設けられている。裏当部材８４は、帯状の金属板により形成されている。
【００４２】
（調節部材）
図４に示すように、調節部材９は、環状部材８を裏面８２側から支持し、既設部分５の上流側支柱３１ａの外周面に対する環状部材８の固定位置を、上流側支柱３１ａの軸線方向に沿って高さｈ方向に調節するものである。調節部材９は、環状部材８の裏面８２側で、上流側支柱３１ａの外周面に着脱自在に設けられている。
調節部材９は、分割片９０と、磁石９１と、支持部９２とを備えている。
【００４３】
分割片９０は、例えば、中心に孔が形成された円板を半分に割って形成されている。分割片９０は、それぞれ内周縁が既設部分５の外周面に沿うように形成されている。分割片９０は、その面が既設部分５の支柱３１又は梁３２の軸線に交差（直交）するように、既設部分５の外周面に取り付けられる。分割片９０は、互いの端部同士が対向するように既設部分５に取り付けられ、取り付けた際に、平面視略環状となっている。
磁石９１は、分割片９０を下方から支持すると共に、磁力によって分割片９０を既設部分５に固定する。磁石９１は、既設部分５の外周面に取り付けられ、交換部材６を既設部分５に固定された後に取り外される。磁石９１は、分割片９０と同様に半円状に形成してもよいし、分割片９０の下方で所定間隔をおいて取り付けるようにしてもよい。また、分割片９０と磁石９１は一体に形成されていてもよい。
支持部９２は、分割片９０の表面から裏面を貫通するように設けられている。支持部９２は、互いに所定間隔をおいて（例えば４５°、６０°、９０°又は１８０°おき）分割片９０に配置されている。支持部９２は、頭部のないボルト９２ａとナット９２ｂとを備えている。ボルト９２ａは、軸方向のほぼ全域にわたってネジ溝が形成されており、分割片９０に挿通されている。ナット９２ｂは、二つ設けられており、一方は分割片９０の上方でボルト９２ａに螺合され、他方は分割片９０の下方でボルト９２ａに螺合されている。すなわち、両ナット９２ｂのボルト９２ａへの螺合位置を変えることにより、ボルト９２ａの分割片９０からの突出量を調節することができる。ボルト９２ａの上端で環状部材８を支持し、ボルト９２ａの分割片９０への固定位置の調節により、既設部分５の外周面に対する環状部材８の高さｈ方向の位置を調節することができる。
【００４４】
＜補修方法＞
次に、図６〜図１１を用いて捕捉体３の補修方法を説明する。図６（ａ）は損傷前の捕捉体の側面図であり、図６（ｂ）は土石流中の巨礫が衝突した捕捉体の側面図であり、図６（ｃ）は変形又は損傷した捕捉体の側面図である。図７（ａ）は、損傷部位の切断位置を示す捕捉体の側面図であり、図７（ｂ）は、損傷部位の切断後の捕捉体の既設部分の側面図である。図８は、捕捉体の既設部分への交換部材の設置を示す図である。図９（ａ）は、補修構造体における調節部材の既設部分への取付けを説明する図であり、図９（ｂ）は、補修構造体における環状部材の調節部材への載置を説明する図である。図１０（ａ）は、交換部材が環状部材に仮置きされた状態を示し、図１０（ｂ）は、調節部材による環状部材の位置決めを説明するための図である。図１１（ａ）は、裏当部材が固定された状態を示す図であり、図１１（ｂ）は、調節部材が取り外されて捕捉体の補修が完了した状態を示す図である。
【００４５】
図６（ａ）〜（ｃ）に示すように、例えば想定外の礫径を有する岩石Ｒが上流から流されてきて、捕捉体３の上流側支柱３１ａ及び梁３２に衝突した場合、衝突により形成された損傷部位ＤＰを有する捕捉体３を補修する必要がある。
【００４６】
まず、損傷部位ＤＰを捕捉体３から切断する位置を決める。一点鎖線によって示す切断位置は、図７（ａ）に示すように、捕捉体３において損傷又は変形していない部分、若しくは損傷又は変形が軽微な部分に設定される。切断位置は、支柱３１又は梁３２のフランジ部Ｆ（連結部）以外の箇所に設定される。図７（ｂ）に示すように、切断位置において捕捉体３の損傷部位ＤＰを含む部分を切断して除去する。除去後、捕捉体３の既設部分５の形状を測量する。
【００４７】
次いで、測量によって得られた情報に基づいて損傷部位ＤＰに取り付ける交換部材６を用意する（図８参照）。捕捉体３の既設部分５に交換部材６を固定する前に、磁石９１を介して既設部分５の外周面に分割片９０及び支持部９２を取り付ける。
図９を用いて調節部材９による環状部材８の固定位置の調節方法について説明する。なお、図９においては、捕捉体３の上流側支柱３１ａの外周面に取り付けられた調節部材９を示すが、既設部分５の下流側支柱３１ｂへの固定、及び既設部分５の梁部３１ｃへの固定についても同様の方法を適用することができる。
【００４８】
図９（ａ）に示すように、調節部材９の各分割片９０を、上流側支柱３１ａの外周面に磁石９１を介して取り付けることで、上流側支柱３１ａの外周面を分割片９０で取り囲んだ状態となる。
次いで、図９（ｂ）に示すように、環状部材８を調節部材９の支持部９２の上に載置する。具体的には、ボルト９２ａが、環状部材８をその裏面８２から支持する。この状態において、環状部材８は、調節部材９の支持部９２に仮置きした状態にあり、上流側支柱３１ａの外周面に対して移動可能である。
【００４９】
次いで、環状部材８に載置した交換部材６の、既設部分５に対する固定位置を調整して決定する。以下に、具体的に説明する。
図１０（ａ）に示すように、支持部９２上に仮置きされた状態にある環状部材８の表面８１に、クレーン等によって吊られた状態で交換部材６を載置（仮置き）する。交換部材６が固定部分６３の円筒部６３ｂで環状部材８に載置された状態において、調節部材９によって環状部材８の位置（姿勢）を調節する。
図３（ａ）に示すように３つの上流側支柱部６１ａを有する交換部材６を用いて捕捉体３を補修する場合、３つ全ての上流側支柱部６１ａの円筒部６３ｂが全周にわたって、対応する環状部材８の表面８１に接触するようにそれぞれの環状部材８の位置（姿勢）を調節する。例えば、２つの上流側支柱部６１ａの円筒部６３ｂが全周にわたって、対応する環状部材８の表面８１に接触している場合であっても、図１０（ａ）に示すように、残りの１つの上流側支柱部６１ａの円筒部６３ｂが、環状部材８の表面８１に部分的に接触していないこともある。
このような場合に、図１０（ｂ）に示すように、調節部材９のボルト９２ａを環状部材８に対して進退させて、上流側支柱部６１ａの円筒部６３ｂが環状部材８の表面８１に全周にわたって接触するように、既設部分５の上流側支柱３１ａの外周面に対する環状部材８の溶接（固定）位置及び溶接（固定）姿勢を調節する。こうして、上流側支柱３１ａの外周面における環状部材８の固定位置が決定される。
【００５０】
さらに、環状部材８に載置した交換部材６を、その軸心ｘ１が既設部分５の上流側支柱３１ａの軸心ｘ２に近づくように環状部材８上で移動させる。こうして、環状部材８における交換部材６の溶接（固定）位置が決定される。
【００５１】
次いで、図１１（ａ）に示すように、環状部材８の裏面８２側に当接した状態で、既設部分５の上流側支柱３１ａの外周面に裏当部材８４を、例えば溶接によって固定する。裏当部材８４の固定により、環状部材８は上流側支柱３１ａの外周面の固定位置に確実に保持される。また、環状部材８に仮置きされた交換部材６を環状部材８から一度取り外す前に、環状部材８に対する交換部材６の固定位置にマーキングＭを施しておくことが好ましい。
【００５２】
次いで、交換部材６を環状部材８から取り外し、環状部材８を上流側支柱３１ａの外周面に、捕捉体３の上方から溶接して固定する。具体的には、環状部材８の溶接は、テーパ部８３において表面８１側から裏面８２及び裏当部材８４に向かって施される。
環状部材８の溶接後に、交換部材６を環状部材８の表面８１にマーキングＭに基づいて再度載置して溶接する。これにより、交換部材６の捕捉体３の既設部分５への固定が完了する。
最後に、図１１（ｂ）に示すように、調節部材９を既設部分５の上流側支柱３１ａの外周面から取り外すことで、捕捉体３の補修は完了する。
【００５３】
以上のように、既設部分５に交換部材６を直接溶接して固定するのではなく、捕捉体３の既設部分５に環状部材８を介して交換部材６を固定するので、捕捉体３を簡単に補修することができ、補修に係るコストを抑えることができる。特に、捕捉体３の既設部分５が変形していた場合には、補修作業が極めて容易になる。
【００５４】
また、一度交換部材６を環状部材８に仮置きした状態で、交換部材６の円筒部６３ｂが環状部材８の表面８１に全周にわたって接触するように、既設部分５の上流側支柱３１ａの外周面に対する環状部材８の固定位置を移動可能に決めることができる。これにより、既設部分５が初期の設計状態から変位（変形）している場合であっても、交換部材６の上流側支柱部６１ａの軸心ｘ１と、既設部分５の上流側支柱３１ａの軸心ｘ２のずれ（変位）を許容しつつ交換部材６を捕捉体３の既設部分５に適切に固定することができる。さらに、環状部材８の固定位置は、調節部材９のボルト９２ａ及びナット９２ｂによって調節するので、既設部分５の外周面に対する環状部材８の姿勢を含み固定位置を精度よく設定することができる。
また、交換部材６は、環状部材８に固定される前に環状部材８に仮置きされるので、例えば既設部分５の軸心ｘ２と、交換部材６の上流側支柱部６１ａの軸心ｘ１とを、既設部分５の径方向において互いに近づくように調整することができる。
【００５５】
また、捕捉体３の損傷していない又は変形が少ない既設部分５において損傷部位ＤＰを切断するので、交換部材６を交換部材６の既設部分５に対して精度の高い固定が可能になる。
【００５６】
また、環状部材８の裏面８２に当接した状態で、裏当部材８４を既設部分５の外周面に固定するので、上方から、つまり環状部材８の表面８１側からテーパ部８３において環状部材８を既設部分５の外周面に溶接することができる。これにより、環状部材８の溶接作業が容易になるとともに、溶接の精度が高まる。
【００５７】
また、環状部材８に交換部材６を取り付ける位置にマーキングＭを施すことにより、環状部材８を既設部分５の外周面に固定した後に、交換部材６を環状部材８に迅速かつ正確に載置することができる。
【００５８】
また、交換部材６の円筒部６３ｂの内径は既設部分５の外径よりも大きいので、交換部材６の既設部分５との連結部分は、補修前以上の強度を発揮することができる。
【符号の説明】
【００５９】
１  堰堤
２  透過部
３  捕捉体
３１  支柱
３１ａ  上流側支柱
３１ｂ  下流側支柱
３１ｃ  梁部
３２  梁
４  補修部分
５  既設部分
６  交換部材
６１  支柱部
６１ａ  上流側支柱部
６１ｂ  下流側支柱部
６２  梁部
６３，６４，６５  固定部分
６３ａ  環状部
６３ｂ  円筒部
７  補修構造体
８  環状部材
８０  孔
８１  表面
８２  裏面
８３  テーパ部
８４  裏当部材
９  調節部材
９０  分割片
９１  磁石
９２  支持部
９２ａ  ボルト
９２ｂ  ナット
ＤＰ  損傷部位
Ｍ  マーキング
Ｒ  岩石
【図１】
0006767179.tif 000002
【図２】
0006767179.tif 000003
【図３】
0006767179.tif 000004
【図４】
0006767179.tif 000005
【図５】
0006767179.tif 000006
【図６】
0006767179.tif 000007
【図７】
0006767179.tif 000008
【図８】
0006767179.tif 000009
【図９】
0006767179.tif 000010
【図１０】
0006767179.tif 000011
【図１１】
0006767179.tif 000012
【図１２】
0006767179.tif 000013